【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
原稿画像から１画素未満のずれを有する複数のフレーム分の画像データを読み取るセンサを有し、
前記センサを用いて取得した画像データの傾斜を補正する補正手段、
前記補正手段にて補正された複数の画像データを用いて補間処理を行うことで、読み取った画像データの解像度より高い解像度の画像データを得る高解像度変換手段、
前記センサを用いて得られる画像データの最大フレーム数を取得する最大フレーム数取得手段、
解像度を設定する解像度設定手段、
前記設定された解像度の画像を得るための前記高解像度変換に必要なフレーム数を取得する必要フレーム数取得手段、
前記必要フレーム数取得手段により取得された画像データのフレーム数と前記最大フレーム数取得手段により取得された最大フレーム数を比較することにより、前記原稿画像の読み取り回数を決定する決定手段、
前記原稿画像を前記決定手段によって決定された回数、前記原稿画像を読み取る読み取り回数制御手段、を有することを特徴とする画像処理装置。
【請求項２】
前記決定手段により、複数回、前記原稿画像の読み取りが必要と判断された場合、必要とされる残りの読み取り回数をユーザに表示することを特徴とする請求項１に記載された画像処理装置。
【請求項３】
前記決定手段により決定された回数の読み取りが中止された場合には、原稿画像の読み取りが中止される前に前記センサにより読み取られた画像データを用いて前記高解像度変換手段により高解像度変換を実施することを特徴とする請求項１に記載された画像処理装置。
【請求項４】
前記センサを用いて画像データを読み取る際、原稿画像を原稿台上に固定し、光源を移動することで前記原稿画像を読み取る第１の読み取り手段、
前記センサを用いて画像データを読み取る際、光源を固定し、原稿画像を移動することで前記原稿画像を読み取る第２の読み取り手段を備えており、
前記決定手段により決定された読み取り回数が複数回の場合は、前記第１の読み取り手段と前記第２の読み取り手段を用いて前記原稿画像の読み取りを行い、
前記決定手段により決定された読み取り回数が複数回でない場合は、前記第１の読み取り手段又は前記第２の読み取り手段のいずれかを用いて前記原稿画像の読み取りを行うことを特徴とする請求項１乃至３に記載された画像処理装置。
【請求項５】
前記センサを任意の数の領域に分割し、該領域ごとに前記原稿画像を読み取ることを特徴とする請求項１乃至４に記載された画像処理装置。
【請求項６】
原稿画像の読み取り位置が、複数のセンサのうち第１のセンサと該第１のセンサに隣接する第２のセンサ間で１画素未満ずれるように、前記第１のセンサと前記第２のセンサが配置されたセンサを有し、
前記センサを用いて取得した複数のフレーム分の画像データを用いて補間処理を行うことで、読み取った画像データの解像度よりも高い解像度の画像データを得る高解像度変換手段、
前記センサを用いて得られる画像データの最大フレーム数を取得する最大フレーム数取得手段、
解像度を設定する解像度設定手段、
前記設定された解像度の画像を得るための前記高解像度変換に必要なフレーム数を取得する必要フレーム数取得手段、
前記必要フレーム数取得手段により取得された画像データのフレーム数と前記最大フレーム数取得手段により取得された最大フレーム数を比較することにより、前記原稿画像の読み取り回数を決定する決定手段、
前記決定手段によって決定された回数、前記原稿画像を読み取る制御手段、を有することを特徴とする画像処理装置。
【請求項７】
原稿画像から１画素未満のずれを有する複数のフレーム分の画像データを読み取るセンサを有し、
前記センサを用いて取得した複数の画像データの傾斜を補正する補正ステップ、
前記補正ステップにて補正された複数の画像データを用いて補間処理を行うことで、読み取った画像データの解像度よりも高い解像度の画像データを得る高解像度変換手段、
前記センサを用いて得られる画像データの最大フレーム数を取得する最大フレーム数取得ステップ、
解像度を設定する解像度設定ステップ、
前記設定された解像度の画像を得るための前記高解像度変換に必要なフレーム数を取得する必要フレーム数取得ステップ、
前記必要フレーム数取得ステップにより取得された画像データのフレーム数と前記最大フレーム数取得ステップにより取得された最大フレーム数を比較することにより、前記原稿画像の読み取り回数を決定する決定ステップ、
前記決定ステップによって決定された回数、前記原稿画像を読み取る読み取り回数制御ステップ、を有することを特徴とする画像処理方法。
【請求項８】
前記決定ステップにより、複数回、前記原稿画像の読み取りが必要と判断された場合、必要とされる残りの読み取り回数をユーザに表示することを特徴とする請求項７に記載された画像処理方法。
【請求項９】
前記決定ステップにより決定された回数の読み取りが中止された場合には、原稿画像の読み取りが中止される前に前記センサにより読み取られた画像データを用いて前記高解像度変換ステップにより高解像度変換を実施することを特徴とする請求項７に記載された画像処理方法。
【請求項１０】
前記センサを用いて画像データを読み取る際、原稿画像を原稿台上に固定し、光源を移動することで前記原稿画像を読み取る第１の読み取り手段、
前記センサを用いて画像データを読み取る際、光源を固定し、原稿画像を移動することで前記原稿画像を読み取る第２の読み取り手段を備えており、
前記読み取り回数算出手段により算出された読み取り回数が複数の場合は、前記第１の読み取り手段と前記第２の読み取り手段を用いて前記原稿画像の読み取りを行い、
前記読み取り回数算出手段により算出された読み取り回数が複数でない場合は、前記第１の読み取り手段又は前記第２の読み取り手段のいずれかを用いて前記原稿画像の読み取りを行うように制御をする読み取り制御ステップを有することを特徴とする請求項７乃至９に記載された画像処理方法。
【請求項１１】
前記エリアセンサを任意の数の領域に分割し、該領域ごとに前記原稿画像を読み取ることを特徴とする請求項７乃至１０に記載された画像処理方法。
【請求項１２】
原稿画像の読み取り位置が、複数のセンサのうち第１のセンサと該第１のセンサに隣接する第２のセンサ間で１画素未満ずれるように、前記第１のセンサと前記第２のセンサが
配置されたセンサを有し、
前記センサを用いて取得した複数のフレーム分の画像データを用いて補間処理を行うことで、読み取った画像データの解像度よりも高い解像度の画像データを得る高解像度変換ステップ、
前記センサを用いて得られる複数フレーム分の画像データの最大フレーム数を取得する最大フレーム数取得ステップ、
解像度を設定する解像度設定ステップ、
前記設定された解像度の画像を得るための前記高解像度変換に必要な画像データのフレーム数を取得する必要フレーム数取得ステップ、
前記必要フレーム数取得ステップにより取得された画像データのフレーム数と前記最大フレーム数取得ステップにより取得された最大フレーム数を比較することにより、前記原稿画像の読み取り回数を決定する決定ステップ、
前記決定ステップによって決定された回数、前記原稿画像を読み取る制御ステップ、を有することを特徴とする画像処理方法。
【請求項１３】
請求項７乃至１２に記載の画像処理方法をコンピュータに実行させるためのプログラム。
【手続補正２】
【補正対象書類名】明細書
【補正対象項目名】００１０
【補正方法】変更
【補正の内容】
【００１０】
上記課題を解決するべく、本発明の画像処理装置は、原稿画像から１画素未満のずれを有する複数のフレーム分の画像データを読み取るセンサを有し、前記センサを用いて取得した複数の画像データの傾斜を補正する補正手段、前記補正手段にて補正された複数の画像データを用いて補間処理を行うことで、前記読み取った画像データの解像度より高い解像度の画像データを得る高解像度変換手段、前記センサを用いて得られる画像データの最大フレーム数を取得する最大フレーム数取得手段、解像度を設定する解像度設定手段、前記設定された解像度の画像を得るための前記高解像度変換に必要なフレーム数を取得する必要フレーム数取得手段、前記必要フレーム数取得手段により取得された画像データのフレーム数と前記最大フレーム数取得手段により取得された最大フレーム数を比較することにより、前記原稿画像の読み取り回数を決定する数決定手段、前記決定手段によって決定された回数、前記原稿画像を読み取る制御手段、を有することを特徴とする。